(57)【特許請求の範囲】
【請求項１】
樹皮を含む１つの端材から、
断面視、一辺に樹皮を残した状態で少なくとも２本の三角柱部材を削り出し、
当該削り出した複数の三角柱部材同士を接着するとき、当該接着する三角柱部材の樹皮面が連続するように当該接着する三角柱部材の非樹皮面同士を接着すると共に、
前記複数の三角柱部材は、前記端材を断面視した際、切削工具の厚み分だけ離れた位置を基準として削り出した上で、
前記接着は、前記基準となった離れた位置同士を合わせるように接着することにより連続する樹皮面の模様が違和感なく繋がる
ことを特徴とする樹皮を活かした加工木材の製造方法。
【請求項２】
請求項１において、
前記三角柱部材は３本であり、各三角柱部材における前記樹皮を含まない頂点の角度の合計が１８０°とされると共に、
隣り合う前記三角柱部材における前記頂点を構成するいずれかの一辺同士が同じ長さに構成される
ことを特徴とする樹皮を活かした加工木材の製造方法。
【発明の詳細な説明】
【技術分野】
【０００１】
本発明は、木材の技術分野に関し、特に詳しくは製材により発生する端材を利用した加工木材に関する。
【背景技術】
【０００２】
従来から、丸い材木を角材へと加工する際に不可避的に生じる「端材」（図４参照）を無駄なく利用するため様々な工夫が行われている。
【０００３】
例えば特許文献１においては、４つの端材の表面側（樹皮側）を内側に向けて組み合せ、角材を製造するというものである。
【０００４】
また、特許文献２においては、端材から樹皮を含む表面をやや斜め方向に取り除いた上で、それを細分化して木製の「箸」を製造するものである。
【先行技術文献】
【特許文献】
【０００５】
【特許文献１】特開２００１−５４９０４号公報
【特許文献２】特開２０００−２７１９０８号公報
【発明の概要】
【発明が解決しようとする課題】
【０００６】
しかしながら、上記の発明はいずれも「樹皮」を内側に向けたり、取り除いた上で利用するという技術であり、「樹皮」の風合いを楽しめるものではない。例えばブナ材など、樹皮が非常に美しい木材であっても、端材となった後の利用は、上記先行技術文献に記載された方法や、単に燃料として燃やす材料として使われるといったものしかないのが実情であった。
【０００７】
そこで本発明は、こういった問題点を解決するべくなされたものであって、端材から樹皮の風合いを活かしたままで使い勝手の良い加工木材を製造する方法を提供する事をその課題としている。
【課題を解決するための手段】
【０００８】
上記課題を解決するべく、本願発明は、樹皮を含む端材から、断面視、一辺に樹皮を残した状態で少なくとも２本の三角柱部材を削り出し、当該削り出した複数の三角柱部材の非樹皮面同士を接着することを特徴とする。
【０００９】
具体的には５軸加工機等を用いて、一辺に樹皮を残すように複数の三角柱部材を削り出し、その削り出した部材の非樹皮面同士を接着するのである。この時、残った樹皮面が繋がるように接着することによって、表面に樹皮の風合いを残した状態のままで加工木材を製造することが可能となる。
【００１０】
また、前記複数の三角柱部材は、前記端材を断面視した際、切削工具の厚み分だけ離れた位置を基準として削り出すのが望ましい。
【００１１】
このようにすることで、接着することによる連続する樹皮面の模様が違和感なく繋がり、恰も加工木材でない自然のままに近い樹皮面を構成することが可能となる。
【００１２】
また、前記三角柱部材を３本とし、各三角柱部材における前記樹皮を含まない頂点の角度の合計を１８０°とすると共に、隣り合う前記三角柱部材における前記頂点を構成するいずれかの一辺同士を同じ長さに構成するのが望ましい。
【００１３】
このように構成した三本の三角柱部材を接着すれば、一面（底面）をフラットに構成できると共に、底面以外の面に連続する樹皮が残る形で加工木材を構成できる。即ち、その加工木材を使って様々な加工品（例えば額縁や手摺など）を製作する場合に非常に使い勝手が良いのである。  
【発明の効果】
【００１４】
本発明を適用することで、端材から樹皮の風合いを活かしたままで使い勝手の良い加工木材を製造する方法を提供することができる。
【図面の簡単な説明】
【００１５】
【図１】端材の断面図であって、端材の加工領域の一例を示した図である。
【図２】削り出した３本の木材を組み合わせて１本の加工木材を製造する工程を示した図である（端材の断面に相当）。
【図３】完成した加工木材の一例を示した写真である。
【図４】端材の一例を示した斜視図である。
【発明を実施するための形態】
【００１６】
以下、添付図面を参照しつつ、本発明の実施形態の一例である樹皮を活かした加工木材の製造方法について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈樹皮を活かした加工木材の製造手順〉
まず加工対象となる端材１を用意し、５軸加工機（図示していない）等にセットして３本の三角柱部材１０、２０、３０を削り出す（図１参照）。
【００１８】
この削り出しの加工は、例えば次のようなルールに基づいて削り出すようにする。
【００１９】
各三角柱中部材１０、２０、３０は、断面視、それぞれ自身の一辺に樹皮２を残すような形で削り出す。即ち、三角柱の一面に樹皮がそのまま残るようにして削り出す。
【００２０】
また、各三角柱部材１０、２０、３０における樹皮２を含まない頂点の角度θ１、θ２、θ３の角度の合計が１８０°となるように構成する。今回図示した例においてはそれぞれ６０°となるように構成している。もちろん、この角度の組み合せによって合計１８０°とするパターンに限定されるものではなく、例えば、４５°−９０°−４５°の組み合せや、５０°−７０°−６０°といった組み合せであってもよい。
【００２１】
また、端材１を断面視した際の、隣り合う三角柱部材同士の表面２における隙間α、βは可能な限り狭く設定して削り出す方が望ましい。より具体的には、切削工具（図示しない）の厚み分だけ離れた位置を基準として削り出すのが望ましい。
【００２２】
また、隣り合う三角柱部材における樹皮２を含まない頂点（角度θ１、θ２、θ３を構成する頂点）を構成するいずれかの一辺同士を同じ長さに構成するのが望ましい。より具体的には、第１の三角柱部材１０の一辺１０ｃと第２の三角柱部材２０の一辺２０ｂとが同じ長さとなるようにし、更に、第２の三角柱部材２０の一辺２０ｃと第３の三角柱部材３０の一辺３０ｂとが同じ長さとなるようにするのである。
【００２３】
このような条件で削り出した３本の三角柱部材１０、２０、３０を、図２に示しているように樹皮面２が連続するように組み合わせて接着する。これにより樹皮２の風合いが残った状態での加工木材１００が完成する。
【００２４】
以降、必要により樹皮面２の加工（例えは樹脂を用いてコーティングする等）をするなどし、各種製品を作る際の材料として利用すればよい。
【００２５】
上記の通り、本願発明は、樹皮２を含む端材１から、断面視、一辺に樹皮２を残した状態で少なくとも２本の三角柱部材を削り出し、当該削り出した複数の三角柱部材の非樹皮面同士を接着することを特徴とし、その結果として、表面に樹皮２の風合いを残した状態のままで加工木材１００を製造することが可能となっている。
【００２６】
また、複数の三角柱部材は、端材２を断面視した際、切削工具の厚み分だけ離れた位置（隙間α、β）を基準として削り出すため、その後接着することによる連続する樹皮面の模様が違和感なく繋がり、恰も加工木材でない自然のままに近い樹皮面を構成することが可能となっている。
【００２７】
また、三角柱部材を３本とし、各三角柱部材１０、２０、３０における樹皮２を含まない頂点（角度θ１、θ２、θ３を構成する頂点）の角度の合計を１８０°とすると共に、隣り合う三角柱部材における前記頂点（角度θ１、θ２、θ３を構成する頂点）を構成するいずれかの一辺同士を同じ長さに構成していた。
【００２８】
このように構成した三本の三角柱部材１０、２０、３０を接着すれば、一面（底面）１０２をフラットに構成できると共に、底面１０２以外の面に連続する樹皮２が残る形で加工木材１００を構成できる（図３参照）。即ち、その加工木材１００を使って様々な加工品（例えば額縁や手摺など）を製作する場合に非常に使い勝手が良いのである。  
【００２９】
〈その他の構成例〉
上記では、３本の三角柱部材を前提に説明しているが、２本であってもよいし、４本以上を組み合わせる事も可能である。
【００３０】
また、上記では、底面がフラット（１８０°）になる構成を前提に説明しているが、用途に応じて意図的にフラットでない構成を採用してもよい。
【符号の説明】
【００３１】
１・・・端材
２・・・樹皮
３・・・断面
１０、２０、３０・・・三角柱部材
１００・・・加工木材
１０２・・・加工木材の底面
【要約】      （修正有）【課題】端材から樹皮の風合いを活かしたままで使い勝手の良い加工木材を製造する方法を提供する。【解決手段】樹皮２を含む端材から、断面視、一辺に樹皮を残した状態で３本の三角柱部材１０、２０、３０を削り出し、削り出した三角柱部材の非樹皮面同士を接着する。このとき複数の三角柱部材は、端材を断面視した際、切削工具の厚み分だけ離れた位置を基準として削り出す。更に各三角柱部材における樹皮を含まない頂点の角度の合計を１８０°とすると共に、隣り合う三角柱部材における頂点を構成するいずれかの一辺同士を同じ長さに構成する。【選択図】図２【図１】
0006872271.tif 000002
【図２】
0006872271.tif 000003
【図３】
0006872271.tif 000004
【図４】
0006872271.tif 000005